(57)【要約】【課題】１つの受光部で２つの窓から受信可能にすることにより部品数を削減して価格の低減化を図り、カメラの前後からのリモコン信号を確実に受光できるカメラを提供する。【解決手段】カメラ前面にリモコン専用受信窓３が設けられ、リモコン信号は前面反射ミラー１４を介して受光部１０の受光面１０ａに入射する。カメラ背面の受光窓は接眼レンズ２３を兼用しており、接眼レンズ２３よりリモコン信号が入射すると、リモコン信号は反射ミラー２２，２１で入反射され、反射ミラー２０を通過し、後面反射ミラー１１を介して受光部１０で受光される。カメラの前後からリモコン信号を確実に受信できる。【選択図】        図２
2004177803.tif 000002
【特許請求の範囲】
【請求項１】
撮影レンズ側となる前面に設けたリモコン信号受信窓と、
後面に設けたファインダ接眼部を兼用するリモコン信号受信兼用窓と、
ボディ内に配置されたリモコン信号受信部と、
前記リモコン信号受信窓から入射したリモコン信号を前記リモコン信号受信部に導く光路変更用ミラー光学系と、
前記リモコン信号受信兼用窓から入射したリモコン信号をファインダ光路中から分離して前記リモコン信号受信部に導く光路分離用ミラー光学系と、
を備えたことを特徴とするカメラ。
【請求項２】
前記リモコン信号受信窓は、前記撮影レンズとファインダ装置入射窓の間に配設し、
前記リモコン信号受信部は、前記ファインダ装置と前記撮影レンズの間に配設したことを特徴とする請求項１記載のカメラ。
【請求項３】
前記リモコン信号は、カメラをレリーズオンする制御信号であることを特徴とする請求１または２記載のカメラ。
【発明の詳細な説明】
【０００１】
【発明の属する技術分野】
本発明は、レリーズオン操作などに用いるリモコンシステムの受信装置を有するカメラに関する。
【０００２】
【従来の技術】
従来から特許文献に示すように、カメラをレリーズオンする方法としてリモコンシステムが用いられている。
かかるリモコンシステムにおいてユーザ自らが被写体になる場合、カメラの前面部からリモコン信号を受信する必要がある。また、手ブレを防止する目的でケーブルレリーズなどの代わりに用いる場合にはカメラの後ろからリモコン信号を受信しなければならない。
従来は、カメラ前面・後面ともファインダ装置の窓を用いて前後方からのリモコン信号を受信する構成を採用していた。
【特許文献１】
特開平１０−２７４８０２号公報
【０００３】
【発明が解決しようとする課題】
しかしながら、ファインダ装置の窓では受信するファインダレンズ面が小さく、ファインダ装置の光学系からリモコン信号を途中で分離するための光路中でリモコン信号が減衰するため、撮影距離やカメラに向けられる送信装置の角度によっては受信感度が十分得られない場合があった。
保証されるリモコン作動距離を越える撮影距離に近づけば、なおさらその傾向は強くなる。特に、カメラ前面では、被写体が遠くにいる状態でリモコンを使用することが多く、上述の問題が顕著である。一方で、カメラ後面では、ケーブルレリーズ等の代わりに用いることが多く、上述問題はさほど起きない。
【０００４】
本発明の目的は、１つの受光部で前面および後面の２つの窓からリモコン信号を確実に受信可能にするとともに、部品数を削減して価格の低減化を図るカメラを提供することにある。
【０００５】
【課題を解決するための手段】
前記目的を達成するために本発明によるカメラは、撮影レンズ側となる前面に設けたリモコン信号受信窓と、後面に設けたファインダ接眼部を兼用するリモコン信号受信兼用窓と、ボディ内に配置されたリモコン信号受信部と、前記リモコン信号受信窓から入射したリモコン信号を前記リモコン信号受信部に導く光路変更用ミラー光学系と、前記リモコン信号受信兼用窓から入射したリモコン信号をファインダ光路中から分離して前記リモコン信号受信部に導く光路分離用ミラー光学系と、を備えるように構成されている。
本発明における前記リモコン信号受信窓は、前記撮影レンズとファインダ装置入射窓の間に配設し、前記リモコン信号受信部は、前記ファインダ装置と前記撮影レンズの間に配設して構成されている。
本発明における前記リモコン信号は、カメラをレリーズオンする制御信号である。
【０００６】
【発明の実施の形態】
以下、図面を参照して本発明をさらに詳しく説明する。なお、本実施例では、前面にリモコン信号受信専用窓とした場合について説明するが、ファインダやＬＥＤ等と共通の窓としてもよい。
図１は、本発明によるカメラの外観を示す図で、（ａ）は前面斜視図，（ｂ）は後面斜視図である。
カメラ前面側には撮影レンズ５の右上にファインダ窓２が配置され、その斜め下にリモコン信号受信専用窓３が設けられている。カメラ上面にはレリーズボタン７，ＡＦＬボタン９が配置されている。カメラ後面側には液晶モニタ８の右上にファインダ覗窓４が配置され、このファインダ覗窓４が後面からのリモコン信号受光窓となる。
リモコン信号受信専用窓３は撮影レンズ５とファインダ装置２の中間位置であり、カメラの他の部品を配置することが難しい撮影レンズとファインダ機構の間のデッドスペースの前面に配置されている。
【０００７】
図２は、本発明によるカメラのリモコン受信装置の実施の形態を示す図で、（ａ）は正面図，（ｂ）は側面図、図３は斜視図である。
図２，図３は本発明に直接関係するファインダ装置，受信装置および撮影レンズ部分のみを記載したもので、他は省略されている。
リモコン信号受信専用窓３の背後にリモコン信号を下方向に９０度光路変更させる前面反射ミラー１４が設置されている。
【０００８】
前面反射ミラー１４の下部には上面に突出した受光面１０ａを有する受光部１０が配置されている。受光部１０は赤外線領域に感度を有する赤外線受信装置であり、その受光面１０ａは垂直に入射するリモコン信号（赤外線信号）は勿論、斜めから入射するリモコン信号も受信することができ、約９０度の指向性を有する。
【０００９】
図４，図５は前後面からのリモコン信号光路を説明するためのファインダ装置およびリモコン受信装置の前面上部斜視図および前面下部斜視図である。
ファインダ装置は、ファインダレンズ１５，１６，１７および１８よりなる対物レンズ系，反射ミラー１９，２０，２１および２２よりなるミラー系ならびに接眼レンズ２３より構成されている。減速ギヤ機構２６は図示しないモータからのファインダズーミングのための回転駆動力をカム２５に伝達する機構であり、カム２５の回転によりファインダレンズ１６，１７は光軸方向に進退して、ズーミングが行われる。後面反射ミラー１１は反射ミラー２０の背面に配置され、反射ミラー２０は赤外線通過ミラーであるので、後面の接眼レンズ２３から入射したリモコン信号は反射ミラー２２，２１で入反射され、反射ミラー２２を通過し後面反射ミラー１１に入射する。
後面反射ミラー１１で反射して光路を９０度変更されたリモコン信号は受光部１０の受光面１０ａに斜めに入射する。
【００１０】
前面反射ミラー１４，後面反射ミラー１１で作られる光路および受信部１０の収容位置は上述したように撮影レンズ５（あるいは撮影レンズ５用の鏡筒）とファインダ装置の間の通常デットスペースとなる部分に収容されているため、カメラ１の小型化を維持できる。しかも、小型化を維持しながらもリモコン信号受信専用窓３は、カメラ前面側に独立して設けているため、所定の撮影距離に対し十分に受信感度があるような大きさおよび光路を形成することができる。また、リモコン信号が後面の接眼レンズ２３から入射する場合は、接眼レンズ２３，反射ミラー２２，反射ミラー２１および２０の光路はファインダ装置の光路を共用し、赤外線透過形の反射ミラー２０によって前面側から入射する被写体像の光とリモコン信号を分離しているため、受信部１０に達するリモコン信号の減衰は大きい。しかしながら、後面におけるリモコン送信装置までの操作距離が小さい場合が多く、後面からのリモコン信号の受信用としては十分である。
【００１１】
図６は、カメラのリモコン信号受信の形態の一例を説明するための概略図である。
リモコン信号受信専用窓３の受信可能角度φＦ  は、撮影レンズ５の撮影可能な視野角θ以上になっている必要があり、カメラ１の前面側のリモコン送信装置３０を操作するユーザは受信可能角度φＦ  以内にいることが必要である。また、特別にリモコン信号受信専用窓３を設けているために、リモコン信号に対する受信感度が大きくなり、リモコン送信装置３０を操作できるユーザまでの距離ａは従来のファインダ窓２を用いる場合に比較し大きくできる。
ロングシャッタを切ったり、ケーブルレリーズの代わりに用いたりする場合には、後面のファインダ覗窓４を用いるが、かかる場合の受信可能角度φＲ  は、カメラ背後からレリーズオンする場合の操作性を良好にできる範囲内であればよい。後面のファインダ覗窓４を利用する場合の操作距離ｂは例えば１ｍ程度まで受信感度があれば十分であり、ファインダ覗窓４を兼用することが可能であり、専用窓を設ける必要がない。
【００１２】
図７は、本発明によるリモコン受信装置を適用したカメラの回路の実施の形態を示すブロック図である。
被写体像４１からの光はレンズ４２によってＣＣＤ４３面に結像する。ＣＣＤ４３ではＣＣＤ駆動回路４４ａの制御の下に画像取り込み，転送制御が行われる。ＣＣＤ４３から転送された画像信号はアナログ処理回路４４ｂにより相関２重サンプリング処理などが行われ、ディジタル信号に変換されて画像信号処理部４５に送られる。
測光・調光部５８では、画像データから測光データが抽出され、該測光データは画像信号処理部４５に送出される。画像信号処理部４５は、測光データに基づき絞り値とシャッタ速度を得、図示しない絞りを制御するとともにＣＣＤ駆動回路４４ａを駆動して画像取り込みの速度を制御する。また、測光・調光部５８はストロボ発光撮影する場合、そのストロボ発光量を調整する。
【００１３】
画像信号処理部４５は、上記制御の他、取り込まれたディジタル画像信号を所定の形式に変換処理して一時的にメモリ部４６に記憶する。
画像信号処理部４５は、メモリ部４６の画像データを読み出し、所定の形式（ＪＰＥＧなど）に変換してカードインタフェース４８を介してメモリカード４９に記憶する処理を行う。また、モニタの表示品質に適合するように画像解像度などを変換してモニタドライバ５０を介してファインダモニタとしての機能を有するＬＣＤ表示部５１に被写体像を表示する。さらに、メモリカード４９に保存されている画像データを外部インタフェース４７を介してパソコンなどに送る処理を行うことも可能である。
【００１４】
システムコントローラ５２は、レリーズボタン７，ＡＦＬボタン９などのキー入力部５３からの信号を受け、受信信号に対応の制御を行う。例えば、レリーズオン信号が入力した場合には、その情報は画像信号処理部４５に送られ、画像信号処理部４５はＣＣＤ駆動回路４４ａの制御を行い、撮影すべき被写体像の取り込みを行う。
また、ＡＦＬボタン９からＡＦＬ信号が入力した場合には、システムコントローラ５２は、図示しないＡＦ制御回路によりレンズ４２の焦点を固定する制御を行う。
システムコントローラ５２は、リモコン信号受信回路５６からレリーズオン信号が入力した場合も、キー入力部５３からレリーズオン信号が入力したときと同様、その情報を画像信号処理部４５に送り、画像信号処理部４５はＣＣＤ駆動回路４４ａの制御を行い、撮影すべき被写体像の取り込みを行う。
【００１５】
ＬＣＤ表示部５５はカメラ上部に設けられる表示パネルで、カメラの状態等を表示する。外部ＬＥＤ表示部１２は、緑色のスタンバイＬＥＤであり、例えばリモコン操作で１０秒のセルフタイマが設定されていたとき発光を開始し、カウントダウンされてシャッタタイミングに近づくにつれて発光間隔が短くなるように点灯制御される。セルフタイマを用いない場合にはシャッタオン時に２回点滅するように制御される。電源部５７は回路に電力を供給する。
【００１６】
図８は、本発明によるリモコン受信装置を用いたリモコンシステムの操作および動作を説明するためのフローチャートである。
カメラ前面側からユーザ自らも被写体になってリモコン操作によりシャッタを直ちに切る場合を説明する。
ユーザが三脚などにカメラを取り付け、被写体に対し焦点調節を行う。合焦点が得られると、カメラ上面のＡＦＬボタン９を押して焦点位置を固定する（ステップ（以下「Ｓ」という）００１）。
つぎに三脚を調整し、自らが入る撮影位置を考慮しながら被写体の構図を決定する（Ｓ００２）。
【００１７】
ユーザは、撮影位置まで移動し撮影ポーズが決まると、リモコン送信装置３０をカメラのリモコン信号受信専用窓３に向け送信ボタン３０ａを押すこととなる（Ｓ００３）。カメラの受信部１０はリモコン専用受光窓３を通してリモコン信号を受信し（Ｓ００４）、リモコン受信回路５６はシステムコントローラ５２にリモコン信号を送出する。システムコントローラ５２はセルフタイマＬＣＤ表示部１２を表示制御するとともに制御信号を画像信号処理部４５に送出する（Ｓ００５）。
ここで、システムコントローラ５２にタイマが設定されている場合にはタイマが起動され、タイマがカウントダウンされた後、シャッタオンのための制御信号が画像信号処理部４５に送られる。
直ちにシャッタオンする場合でもユーザにリモコン送信装置３０を隠すための猶予を与えるため、タイマを２秒に設定すれば、リモコン送信装置３０のボタン３０ａを押してから２秒後にシャッタを切ることができる。
【００１８】
画像信号処理部４５はＣＣＤ駆動回路４４ａを制御して被写体像を取り込み、画像処理して一時的に画像データをメモリ４６に読み込み、再度読みだして所定の形式に変換しメモリカード４９に保存する（Ｓ００６）。以上によりリモコン操作による撮影動作が終了する。
なお、カメラ背面からリモコン操作する場合には、同様にＳ００１〜００６までの操作および動作となるが、シャッタはリモコンボタンオンにより直ちに切れるように設定することができる。
【００１９】
以上の実施の形態について本発明の特許請求の範囲内で種々の変形を施すことができる。上記実施の形態では、ファインダ接眼レンズから入射したリモコン信号は、反射ミラー２０で分離しているが、他の反射ミラーで分離することも可能であり、また、反射ミラー２０の前の光路または後側の光路中に赤外線抽出部材を挿入して分離することも可能である。
【００２０】
【発明の効果】
以上、説明したように本発明によれば、部品点数の増加を極力おなえながらも、前後からリモコン信号を確実に受信でき、かつ、デッドスペースとなっていた撮影レンズとファインダ装置の間のスペースを有効に利用することによる、カメラの小型化に寄与するカメラを実現できる。
【図面の簡単な説明】
【図１】本発明によるリモコン受信装置を適用したカメラの外観を示す図で、（ａ）は前面斜視図，（ｂ）は後面斜視図である。
【図２】本発明によるリモコン受信装置の実施の形態を示す図で、（ａ）は正面図，（ｂ）は側面図である。
【図３】本発明によるリモコン受信装置の実施の形態を示す斜視図である。
【図４】ファインダ装置接眼部および専用窓からのリモコン信号光路を説明するための前面上部斜視図である。
【図５】ファインダ装置接眼部および専用窓からのリモコン信号光路を説明するための前面下部斜視図である。
【図６】カメラのリモコン信号受信の形態を示す概略図である。
【図７】本発明によるリモコン受信装置を適用したカメラの回路の実施の形態を示すブロック図である。
【図８】本発明によるリモコン受信装置を用いたリモコンシステムの操作および動作を説明するためのフローチャートである。
【符号の説明】
１  カメラ
２  ファインダ窓
３  リモコン信号受信専用窓
４  リモコン受光窓を兼ねるファインダ覗窓（リモコン信号受信兼用窓）
５  撮影レンズ
６  ストロボ
７  リレーズボタン
８  液晶モニタ
９  ＡＦＬボタン
１０  受光部
１１  後面反射ミラー
１４  前面反射ミラー
１５〜１８  ファインダレンズ
１９，２０，２１，２２  反射ミラー
２３  接眼レンズ
２５  カム
２６  減速ギヤ機構
３０  リモコン送信装置
４２  レンズ
４３  ＣＣＤ
５２  システムコントローラ
５５  ＬＣＤ表示部
５６  リモコン信号受信回路
【図１】
2004177803.tif 000003
【図２】
2004177803.tif 000004
【図３】
2004177803.tif 000005
【図４】
2004177803.tif 000006
【図５】
2004177803.tif 000007
【図６】
2004177803.tif 000008
【図７】
2004177803.tif 000009
【図８】
2004177803.tif 000010
【手続補正書】
【提出日】平成14年12月4日(2002.12.4)
【手続補正１】
【補正対象書類名】図面
【補正対象項目名】全図
【補正方法】変更
【補正の内容】
【図１】
2004177803.tif 000011
【図２】
2004177803.tif 000012
【図３】
2004177803.tif 000013
【図４】
2004177803.tif 000014
【図５】
2004177803.tif 000015
【図６】
2004177803.tif 000016
【図７】
2004177803.tif 000017
【図８】
2004177803.tif 000018